(57)【要約】【課題】  使用に際して、ヘッド部の回動を一方向のみに制限可能な清掃具を得る。【解決手段】  ロック部６の指掛部６ｃに指を掛けて係合部５に対して下側に押すと、ロック部６は係合部５に対して下降する。これにより、回動部７のロック凸部７ｃがロック部６のロック穴６ｅに嵌入し、係合部５と回動部７とはロック部６を介して一体に結合されることになり、第１の軸部７ａと直交する軸部による係合部５の軸穴部とのＸ方向の回動が不能となる。従って、柄部２はヘッド部３に対して第１の軸部７ａによるＹ方向の回動のみが可能となり、ヘッド部３を上方に向けてもヘッド部３が不安定となることはない。【選択図】図９
2020028423.tif 000002
【特許請求の範囲】
【請求項１】
棒状の柄部と、摺掃部を有する矩形状のヘッド部と、前記柄部と前記ヘッド部とを連結する継手部とから成る清掃具であって、
前記継手部は、前記柄部に係合可能な係合部と、該係合部に摺動可能に取り付けられるロック部と、該ロック部及び前記ヘッド部に回動可能に取り付けられる回動部とから成り、
前記係合部は前記回動部に対して、前記ヘッド部の長手方向に回動可能に取り付けられていると共に、前記回動部は前記ヘッド部に対して、前記長手方向に直交する方向に回動可能に取り付けられており、
前記ロック部は前記係合部に対する下降により前記回動部とロック状態とし、前記係合部及び前記回動部による前記長手方向の回動を防止することを特徴とする清掃具。
【請求項２】
前記回動部は上方に向けたロック凸部又はロック穴を有し、前記ロック部は下方裏面にロック穴又はロック凸部を有し、
前記ロック部の前記係合部に対する下降によって、前記ロック穴に前記ロック凸部が嵌合し、前記係合部と前記回動部とは前記ロック部を介して一体に結合され、前記ロック状態となることを特徴とする請求項１に記載の清掃具。
【請求項３】
前記ヘッド部は前記回動部を取り付ける一対の起立片を有し、前記ロック部は両側に平行とする一対の指掛部を有し、
前記ロック穴に前記ロック凸部が嵌合すると、前記指掛部の前記長手方向への動きを、前記起立片が制止することを特徴とする請求項２に記載の清掃具。
【請求項４】
前記長手方向に対向する前記起立片の内側には、前記長手方向に凹み又は突出し、前記回動部の第１の軸部又は前記回動部の第１の軸穴部を取り付ける第１の軸穴部又は第１の軸部を備えることを特徴とする請求項３に記載の清掃具。
【請求項５】
前記係合部は前記長手方向に直交する方向に対向する一対の第２の軸穴部又は一対の第２の軸部を備え、前記回動部の第２の軸部又は前記回動部の第２の軸穴部を前記係合部の第２の軸穴部又は前記係合部の第２の軸部に取り付けることを特徴とする請求項４に記載の清掃具。
【請求項６】
前記回動部の前記ロック凸部の前記長手方向に直交する方向に沿う角辺に、又は前記ロック部の内壁下端の前記長手方向に直交する方向に沿う角辺に、丸みを設けることを特徴とする請求項２〜５の何れか１項に記載の清掃具。
【発明の詳細な説明】
【技術分野】
【０００１】
本発明は、清掃シートを装着し、床面や隙間に溜まった塵埃の拭き取りを行う清掃具に関するものである。
【背景技術】
【０００２】
特許文献１には、モップヘッドの上側中央部で連結され、柄体が平面視における３６０度の何れの向きにおいても、使用可能な清掃具が開示されている。
【０００３】
このような任意の角度で回動可能な清掃用具を用いることで、机の下等の高さの制限された場所や、家具と壁の間の狭い隙間等に、モップヘッドを挿入することができ、更には壁面や天井についてもモップヘッドを清掃面に当接させることができ、様々な場所で清掃を行うことが可能となる。
【先行技術文献】
【特許文献】
【０００４】
【特許文献１】特開２０１６−１１２７３４号公報
【発明の概要】
【発明が解決しようとする課題】
【０００５】
しかし、この特許文献１に記載の清掃用具では、モップヘッドに対し柄部が常に任意の方向に回動可能であるので、清掃場所、例えば壁面の上方においてはモップヘッドを向けるとモップヘッドがぐらついてしまい操作し難いという問題がある。
【０００６】
本発明の目的は、上述の課題を解消し、任意の方向に回動が可能であるが、必要に応じてその回動を制限できる清掃具を提供することにある。
【課題を解決するための手段】
【０００７】
上記目的を達成するための本発明に係る清掃具は、棒状の柄部と、摺掃部を有する矩形状のヘッド部と、前記柄部と前記ヘッド部とを連結する継手部とから成る清掃具であって、前記継手部は、前記柄部に係合可能な係合部と、該係合部に摺動可能に取り付けられるロック部と、該ロック部及び前記ヘッド部に回動可能に取り付けられる回動部とから成り、前記係合部は前記回動部に対して、前記ヘッド部の長手方向に回動可能に取り付けられていると共に、前記回動部は前記ヘッド部に対して、前記長手方向に直交する方向に回動可能に取り付けられており、前記ロック部は前記係合部に対する下降により前記回動部とロック状態とし、前記係合部及び前記回動部による前記長手方向の回動を防止することを特徴とする。
【発明の効果】
【０００８】
本発明に係る清掃具によれば、任意の方向に回動可能な状態と、回動を一方向に限定する状態とをロック部を上下に摺動させることで切換えることが可能であり、清掃場所に応じて、摺掃し易い状態に切換えて使用することができる。
【図面の簡単な説明】
【０００９】
【図１】実施例の清掃具の斜視図である。
【図２】継手部の分解斜視図である。
【図３】ロック部を係合部に組付けた状態の斜視図である。
【図４】回動部をヘッド部に組付けた状態の斜視図である。
【図５】継手部をヘッド部に組付けた状態の斜視図である。
【図６】継手部をロックしていない状態のＹ方向から見た断面図である。
【図７】継手部をロックしていない状態のＸ方向から見た断面図である。
【図８】継手部をロックしている状態の斜視図である。
【図９】継手部をロックしている状態のＹ方向から見た断面図である。
【図１０】継手部をロックしている状態のＸ方向から見た断面図である。
【発明を実施するための形態】
【００１０】
本発明を図示の実施例に基づいて詳細に説明する。
図１は実施例の清掃具の斜視図、図２は清掃具の継手部を分解した状態の分解斜視図である。清掃具１は、棒状の柄部２と、清掃シートを取り付けるヘッド部３と、柄部２とヘッド部３とを連結する継手部４とから構成されている。そして、柄部２は継手部４を介してヘッド部３に対して、平面視における３６０度の何れの方向にも回動可能とされている。
【００１１】
柄部２の長さは例えば１．５ｍ程度であり、アルミニウム等の軽量の金属や硬質の合成樹脂等の筒体から成る柄基体部２ａと、柄基体部２ａの上端に取り付けたゴム等の滑り難い素材から成る把持部２ｂとから構成されている。なお、把持部２ｂは硬質の合成樹脂又は軟質の合成樹脂とし、表面に凹凸加工等の滑り止め加工を施してもよい。柄基体部２ａの下端は、継手部４の後述する係合部が取り付けられる嵌合部２ｃとされている。
【００１２】
ヘッド部３は、例えば横幅２５ｃｍ、縦幅８ｃｍ、高さ３ｃｍ程度の略矩形体である。このヘッド部３は、硬質の合成樹脂材から成る矩形状の基板部３ａと、この基板部３ａの底面を覆うように接着した発泡ＥＶＡ、ウレタン樹脂等の柔軟性、弾発性を有する合成樹脂材から成る摺掃部３ｂとから構成されている。
【００１３】
基板部３ａの中央部には継手部４を連結するための連結部３ｃが設けられており、更に基板部３ａの表面の四隅には係止穴部３ｄが設けられている。これらの係止穴部３ｄには、柔軟な合成樹脂材から成るシート状の薄肉部３ｅが取り付けられていて、薄肉部３ｅには鋸歯状の破断部３ｆが形成されている。
【００１４】
連結部３ｃは、基板部３ａ上に所定の間隔を設けて起立され、ヘッド部３の長手方向である左右方向に対向する一対の起立片３ｇから構成されている。そして、これらの起立片３ｇの内側面には、長手方向に凹み、上方からのガイド溝を有する一対の第１の軸穴部３ｈが対向して設けられている。
【００１５】
連結部３ｃと柄部２の嵌合部２ｃとの間には、柄部２をヘッド部３に対して連結し、回動させるための複数の部材から成る継手部４が介在されている。この継手部４は、上方から順に、柄部２と係合する係合部５と、この係合部５に摺動可能に取り付けられるロック部６と、第１の軸穴部３ｈと係合部５に回動可能に取り付けられる回動部７とから成り、それぞれ硬質の合成樹脂材等により構成されている。
【００１６】
係合部５には、基部５ａと、この基部５ａから上方に延在され柄部２の嵌合部２ｃに挿入することにより係合可能な挿入部５ｂと、基部５ａの下端の両側から下方に向けて逆Ｕ字状に吊り下げられた一対の平板状のアーム部５ｃとが設けられている。
【００１７】
これらのアーム部５ｃの下端内側面には、対向する一対の第２の軸穴部５ｄが設けられている。なお、第２の軸穴部５ｄの下側にガイド溝を設けるようにしてもよい。
【００１８】
基部５ａには、上方の第１の係止段部５ｅと、下方の第２の係止段部５ｆとが設けられている。なお、２つの係止段部５ｅ、５ｆに代えて、連続した１つの係止段部を配置するようにしてもよい。
【００１９】
ロック部６では、基部６ａの両側に上方に向けて一対の板状のロック片６ｂが平行に設けられ、ロック片６ｂの下部外側にそれぞれ指掛部６ｃが設けられている。各ロック片６ｂの上部内側には、係合部５の第１の係止段部５ｅに係止する突条６ｄが内側に向けて水平方向に形成されている。また、基部６ａの下方裏面には、回動部７の一部が嵌合するロック穴６ｅが形成されている。
【００２０】
回動部７では、左右方向のＸ方向には、外側方向にそれぞれ突出する一対の第１の軸部７ａが設けられ、Ｘ方向と直交する前後方向のＹ方向には、外側方向にそれぞれ突出する一対の第２の軸部７ｂとが設けられている。
【００２１】
回動部７の上部には、ロック部６のロック穴６ｅに嵌入するロック凸部７ｃが形成されており、このロック凸部７ｃの上端の一対の角辺７ｄは、丸みを有している。また、本実施例では回動部７にロック凸部７ｃ、ロック部６にロック穴６ｅを設けているが、逆である回動部７にロック穴、ロック部６にロック凸部を設けるようにしてもよい。
【００２２】
この清掃具１を組立てるには、図３に示すように、先ずロック部６を係合部５に係合し、ロック部６の指掛部６ｃを持って係合部５に対し上方まで押し込み、ロック部６の突条６ｄを係合部５の上方の第１の係止段部５ｅに係止し、ロック部６が係合部５と仮に一体となって外れないようにする。
【００２３】
また図４に示すように、回動部７の一対の第１の軸部７ａを、ヘッド部３の起立片３ｇの一対の第１の軸穴部３ｈにガイド溝を介して挿入し、回動部７がＸ方向を中心としてＹ方向に回動するように取り付ける。なお、第１の軸部７ａ及び第２の軸部７ｂの先端には斜面が設けられているが、これらの斜面により、第１の軸穴部３ｈへの挿入が円滑になされる。
【００２４】
次に、柄部２を係合部５に連結し、更に係合部５の一対のアーム部５ｃを、回動部７の第２の軸部７ｂの両側から押し込み、アーム部５ｃの一対の第２の軸穴部５ｄに回動部７の第２の軸部７ｂが嵌入するように取り付ける。
【００２５】
なお、回動部７の第１の軸部７ａ及び第２の軸部７ｂに代えて、第１の軸穴及び第２の軸穴を設け、ヘッド部３の一対の第１の軸穴部３ｈに代えて、一対の第１の軸部を設け、アーム部５ｃの一対の第２の軸穴部５ｄに代えて、一対の第２の軸部を設けて、上述のように取り付けるようにしてもよい。
【００２６】
回動部７の第２の軸部７ｂをアーム部５ｃの第２の軸穴部５ｄに取り付けることで、係合部５がＹ方向を中心としてＸ方向に回動するようになると共に、ロック部６は係合部５に対して上下に摺動可能な状態で保持されることになる。
【００２７】
このようにして、図５の斜視図に示すように清掃具１の組立作業は完了し、係合部５は平面視における３６０度の何れの方向にもヘッド部３に対して回動可能となる。なお、上述の組立て順序は、他の順序であってもよい。また、図６、図７の断面図は、図５に示すアンロック状態の継手部４の断面を示している。
【００２８】
このようにして、柄部２はヘッド部３に対して、回動部７の第１の軸部７ａによりＹ方向に任意の角度範囲で回動できると共に、第２の軸部７ｂによりＸ方向に回動することができる。即ち、柄部２は前後方向、左右方向、つまり任意の方向、角度で伏倒、起立することが可能となる。従って、床面等の狭い個所等に、ヘッド部３を挿入して、清掃シートにより隅々まで掃除を行うことができる。
【００２９】
しかし、例えば摺掃時に天井等にヘッド部３を上方に向けた状態において、任意の方向への回動が可能であると、ヘッド部３の重みによりヘッド部３が不安定となり易い。従って、このような場合には回動は一方向のみに限定することが好ましい。
【００３０】
図８の斜視図、図９、図１０の断面図は、係合部５のＸ方向の回動を制限した継手部４によるロック状態を示している。つまり、図５、図６、図７の状態から、ロック片６ｂの指掛部６ｃに指を掛けて下側に押すと、ロック片６ｂの突条６ｄが係合部５の第１の係止段部５ｅを乗り上げることで係止状態を解除し、ロック片６ｂは係合部５に対して下降する。
【００３１】
ロック部６が最下端まで下降すると、回動部７のロック凸部７ｃがロック部６のロック穴６ｅに嵌合する。そして、係合部５と回動部７とはロック部６を介して一体に結合され、ロック状態となる。同時に、ロック片６ｂの突条６ｄが係合部５の第２の係止段部５ｆを乗り越えることで、ロック部６及び回動部７の結合した状態が保持されることになる。
【００３２】
このように、ロック部６及び回動部７が結合して、ロック状態にすることで、指掛部６ｃのＸ方向への動きを、起立片３ｇが制止することになり、係合部５、ロック部６は第２の軸部７ｂによるＸ方向の回動が不能となる。従って、柄部２はヘッド部３に対して第１の軸部７ａによるＹ方向の回動のみが可能となり、ヘッド部３を上方に向けてもヘッド部３が不安定となることはない。
【００３３】
また、再びＸ方向への回動も必要とする場合には、指掛部６ｃによりロック片６ｂを持ち上げて、ロック片６ｂの突条６ｄが係合部５を第２の係止段部５ｆを乗り上げることで係止状態を解除し、ロック穴６ｅからロック凸部７ｃを抜き出すことにより、このロック状態を解除することができる。
【００３４】
また、ロック凸部７ｃのＹ方向に沿う角辺７ｄが丸みを有することで、ロック部６及び回動部７が結合状態であっても、柄部２を介してＸ方向に所定の力が加わった場合に、指掛部６ｃの内壁下端がロック凸部７ｃを乗り越えることができるようになる。なお、ロック凸部７ｃの角辺７ｄに丸みを設けることに代えて、ロック部６の指掛部６ｃの内壁下端のＹ方向に沿う角辺に丸みを設けるようにしてもよい。
【００３５】
そして、ロック部６のロック片６ｂが第２の係止段部５ｆを乗り越えてロック部６が上方に移動し、ロック部６のロック状態は強制的に解除されることになる。このような構造にすることで、ロック部６のロック状態時に無理な力が加わったとしても、破損することなく、所定の力以上が加わった際に、ロック状態が解除されることになる。
【００３６】
清掃具１の使用に際しては、市販の横３０ｃｍ、縦２０ｃｍ、厚み０．５ｍｍ程度の不織布から成る清掃シートをヘッド部３に取り付ける。清掃シートの取り付け方は、一方の端辺部を、基板部３ａの一方側の係止穴部３ｄ内の薄肉部３ｅに設けられた破断部３ｆに押し込んで、摺掃部３ｂの下面を覆うように半周させて、清掃シートの他方の端辺部を、基板部３ａの他方側の係止穴部３ｄの破断部３ｆに押し込むことで、清掃シートを基板部３ａの底面に固定することができる。
【００３７】
そして、清掃具１のヘッド部３を床面、壁面等に摺動させることで、清掃シートに塵芥が付着する。十分な塵芥が清掃シートに付着すると、ヘッド部３から清掃シートを取り外して、清掃シートの表裏を反転して、再度取り付けて清掃する。清掃シートの両面に十分な塵芥が付着した後に、この清掃シートは破棄し、新しい清掃シートをヘッド部３に取り付ける。
【００３８】
このように、本発明に係る清掃具１を用いることで、任意の方向に回動可能な状態と、回動を一方向に限定する状態とをロック部６を上下に摺動させることで切換えることが可能となる。従って、清掃場所に応じて、清掃具１を摺掃し易い状態に切換えて使用することができる。
【符号の説明】
【００３９】
１  清掃具
２  柄部
３  ヘッド部
３ｃ  連結部
３ｇ  起立片
３ｈ  第１の軸穴部
４  継手部
５  係合部
５ａ  基部
５ｄ  第２の軸穴部
６  ロック部
６ｃ  指掛部
６ｅ  ロック穴
７  回動部
７ａ  第１の軸部
７ｂ  第２の軸部
７ｃ  ロック凸部
【図１】
2020028423.tif 000003
【図２】
2020028423.tif 000004
【図３】
2020028423.tif 000005
【図４】
2020028423.tif 000006
【図５】
2020028423.tif 000007
【図６】
2020028423.tif 000008
【図７】
2020028423.tif 000009
【図８】
2020028423.tif 000010
【図９】
2020028423.tif 000011
【図１０】
2020028423.tif 000012